(57)【要約】【課題】ネクタイが時間の経過と共に次第に緩むのを効果的に防止することができ、ネクタイを締めた本人が、顎下にあるネクタイの結び目に対し手探りでも容易に且つ確実に装着することが可能なネクタイの緩み止め具を提供する。【解決手段】ネクタイの緩み止め具は、少なくとも一端部にて連結された複数の腕部２１を備えている。前記複数の腕部２１の各々は、これらの腕部２１を相互接近させるような外力が及んだときにその外力に反発する弾性を示すように構成されている。この緩み止め具は、ネクタイを結んだ後でネクタイの小剣の付け根に位置する結び目内の開口空間に差し込んで用いられる。【選択図】  図３
2004238787.tif 000002
【特許請求の範囲】
【請求項１】
ネクタイを結んだ後でネクタイの小剣の付け根に位置する結び目内の開口空間に差し込んで用いるネクタイの緩み止め具であって、
少なくとも一端部にて連結された複数の腕部を具備すると共に、前記複数の腕部の各々は、これらの腕部を相互接近させるような外力が及んだときにその外力に反発する弾性を示すように構成されていることを特徴とするネクタイの緩み止め具。
【請求項２】
請求項１に記載のネクタイの緩み止め具は、その緩み止め具を構成する複数の腕部の自然な状態での寸法がネクタイの小剣の付け根に位置する結び目内の開口空間の想定内部寸法よりも若干大きくなるように寸法設定されていることを特徴とするネクタイの緩み止め具。
【請求項３】
前記複数の腕部の各々をほぼ弓形に湾曲させながらそれぞれの前端部同士及び後端部同士を連結することで、前記複数の腕部の各々は、これらの腕部を相互接近させるような外力が及んだときにその外力に反発する弾性を示すことを特徴とする請求項１又は２に記載のネクタイの緩み止め具。
【請求項４】
前記複数の腕部を所定の開き角（θ）を確保しながらそれぞれの一端部同士を連結することで、前記複数の腕部の各々は、これらの腕部を相互接近させるような外力が及んだときにその外力に反発する弾性を示すことを特徴とする請求項１又は２に記載のネクタイの緩み止め具。
【請求項５】
前記複数の腕部の全て又は一部には、前記開口空間を区画するネクタイの布に接触可能な部位において滑り止め手段が設けられていることを特徴とする請求項１〜４のいずれか一項に記載のネクタイの緩み止め具。
【請求項６】
ネクタイを結んだ後でネクタイの小剣の付け根に位置する結び目内の開口空間に差し込んで用いるネクタイの緩み止め具であって、
当該緩み止め具は弾性部材で構成されており、その弾性部材はそれを圧縮するような外力が及んだときにその外力に反発する弾性を示すことを特徴とするネクタイの緩み止め具。
【請求項７】
ネクタイを結んだ後でネクタイの小剣の付け根に位置する結び目内の開口空間に差し込んで用いるネクタイの緩み止め具であって、
当該緩み止め具は、内部に中空な空間を区画する弾性部材で構成されており、その弾性部材は、その内部の中空空間を圧縮するような外力が及んだときにその外力に反発する弾性を示すことを特徴とするネクタイの緩み止め具。
【請求項８】
請求項６又は７に記載のネクタイの緩み止め具は、その緩み止め具を構成する弾性部材の自然な状態での寸法がネクタイの小剣の付け根に位置する結び目内の開口空間の想定内部寸法よりも若干大きくなるように寸法設定されていることを特徴とするネクタイの緩み止め具。
【請求項９】
請求項１〜８のいずれか一項に記載のネクタイの緩み止め具において、その緩み止め具を前記結び目内の開口空間に差し込む際の挿入方向後端側には、緩み止め具を前記結び目内から抜き取るときに指でつまむためのつまみ部が設けられていることを特徴とするネクタイの緩み止め具。
【発明の詳細な説明】
【技術分野】
【０００１】
本発明は、ネクタイを結んだ後でネクタイの小剣の付け根に位置する結び目内の開口空間に差し込んで用いるネクタイの緩み止め具に関するものである。
【背景技術】
【０００２】
従来より、ネクタイの着用時にその結び目が緩むのを防止するための補助具が種々提案されている。例えば、特許文献１は、合成樹脂製の薄板状本体と、本体の両側から斜め上方に突出する左右一対の差し込み片と、本体の前面において上下方向に開口するネクタイ通し部とを備えたネクタイ止め具を開示する。このネクタイ止め具は、その止め具にネクタイを巻き付けて使用される。また、特許文献２は、ネクタイの結び目を模した外形形状で内部を中空に形成すると共に、ネクタイを挿通するための複数の挿通口を有するネクタイの結び目装飾具を開示する。このネクタイの結び目装飾具は、その装飾具の挿通口にネクタイを挿通して使用される。
【０００３】
しかしながら、上記いずれの補助具も、首に巻き付けたネクタイを顎下位置で結ぶ際にネクタイを巻き付けたりくぐらせたりして用いるものであり、ネクタイを結んだ後で事後的にネクタイに装着して用いる補助具ではない。このため、ネクタイの緩み止め具としての利便性に乏しかった。
【０００４】
他方、紙等を挟む文房具の一種であるクリップをネクタイの緩み止めに使用することも考えられるが、ネクタイを締めた本人が、顎下にあって直接目視することができないネクタイの結び目に対して手探りでクリップを適切な位置に留めることは非常に難しい。
【０００５】
【特許文献１】実用新案登録第３０６２８４９号公報（要約、図１）
【特許文献２】特開平１１−３５０２２１号公報（要約、図３〜６）
【発明の開示】
【発明が解決しようとする課題】
【０００６】
本発明の目的は、ネクタイが時間の経過と共に次第に緩むのを効果的に防止することができ、しかもネクタイを締めた本人が、顎下にあるネクタイの結び目に対し手探りでも容易に且つ確実に装着することが可能なネクタイの緩み止め具を提供することにある。
【課題を解決するための手段】
【０００７】
本件第１発明（請求項１）は、ネクタイを結んだ後でネクタイの小剣の付け根に位置する結び目内の開口空間に差し込んで用いるネクタイの緩み止め具であって、少なくとも一端部にて連結された複数の腕部を具備すると共に、前記複数の腕部の各々は、これらの腕部を相互接近させるような外力が及んだときにその外力に反発する弾性を示すように構成されていることを特徴とするネクタイの緩み止め具である。
【０００８】
請求項１に記載のネクタイの緩み止め具は、その緩み止め具を構成する複数の腕部の自然な状態での寸法がネクタイの小剣の付け根に位置する結び目内の開口空間の想定内部寸法よりも若干大きくなるように寸法設定されていることは好ましい（請求項２）。
【０００９】
請求項１又は２に記載のネクタイの緩み止め具において、前記複数の腕部の各々をほぼ弓形に湾曲させながらそれぞれの前端部同士及び後端部同士を連結することで、前記複数の腕部の各々は、これらの腕部を相互接近させるような外力が及んだときにその外力に反発する弾性を示すことは好ましい（請求項３）。
【００１０】
請求項１又は２に記載のネクタイの緩み止め具において、前記複数の腕部を所定の開き角（θ）を確保しながらそれぞれの一端部同士を連結することで、前記複数の腕部の各々は、これらの腕部を相互接近させるような外力が及んだときにその外力に反発する弾性を示すことは好ましい（請求項４）。
【００１１】
請求項１〜４のいずれか一項に記載のネクタイの緩み止め具において、前記複数の腕部の全て又は一部には、前記開口空間を区画するネクタイの布に接触可能な部位において滑り止め手段が設けられていることは好ましい（請求項５）。
【００１２】
（請求項１〜５に記載の緩み止め具についての作用等の説明）
本発明によれば、ネクタイの緩み止め具を構成する複数腕部の自然な状態（即ち外力が及ばない状態）での寸法がネクタイの小剣の付け根に位置する結び目内の開口空間の想定内部寸法よりも若干大きくなるように、当該緩み止め具が設計（寸法設定）される。それ故、ネクタイを結んだ後で前記開口空間に対し緩み止め具が強制挿入されると、開口空間を区画するネクタイの布によって各腕部が相互接近する方向への外力が当該緩み止め具に及ぼされ、緩み止め具は若干収縮した状態で結び目内の開口空間内に圧入される格好となる。この圧入状態では、緩み止め具の各腕部がその復元力に基づいてそれに接する布を外方向に押し広げようとする。このため、結び目内の開口空間の内側に配置されていたネクタイの小剣の一部（付け根）が結び目を構成する布に対し強く押圧され（図２参照）、その結果、布同士の摩擦力が増大して結び目に対する小剣の位置ズレ又はすり抜けが生じ難くなる。
【００１３】
このように本発明の緩み止め具によれば、ネクタイの小剣の付け根に位置する結び目内部における緩み止め具の「拡開」を利用して小剣の位置ズレを抑制することにより、ネクタイが時間の経過と共に次第に緩むのを効果的に防止することができる。また、緩み止め具が結び目内部で「拡開」することで結び目が膨らみ、結び目の形状が見栄えのよいものとなる。更に、本発明の緩み止め具は、ネクタイを結んだ後にその結び目内の開口空間に対し単に差し込む操作を行うだけで装着可能であるため、ネクタイを締めた本人が、顎下にあるネクタイの結び目に対し手探りでも容易に且つ確実に装着することができる。
【００１４】
尚、前記複数の腕部の全て又は一部に、前記開口空間を区画するネクタイの布に接触可能な部位において滑り止め手段を設けることにより、緩み止め具が結び目内の開口空間から抜け落ちにくくなり、ネクタイの緩み止め効果が更に向上する。
【００１５】
本件第２発明（請求項６）は、ネクタイを結んだ後でネクタイの小剣の付け根に位置する結び目内の開口空間に差し込んで用いるネクタイの緩み止め具であって、当該緩み止め具は弾性部材で構成されており、その弾性部材はそれを圧縮するような外力が及んだときにその外力に反発する弾性を示すことを特徴とするネクタイの緩み止め具である。
【００１６】
本件第３発明（請求項７）は、ネクタイを結んだ後でネクタイの小剣の付け根に位置する結び目内の開口空間に差し込んで用いるネクタイの緩み止め具であって、当該緩み止め具は、内部に中空な空間を区画する弾性部材で構成されており、その弾性部材は、その内部の中空空間を圧縮するような外力が及んだときにその外力に反発する弾性を示すことを特徴とするネクタイの緩み止め具である。
【００１７】
請求項６又は７に記載のネクタイの緩み止め具は、その緩み止め具を構成する弾性部材の自然な状態での寸法がネクタイの小剣の付け根に位置する結び目内の開口空間の想定内部寸法よりも若干大きくなるように寸法設定されていることは好ましい（請求項８）。
【００１８】
（請求項６〜８に記載の緩み止め具についての作用等の説明）
本発明によれば、ネクタイの緩み止め具を構成する弾性部材又は中空弾性部材の自然な状態（即ち外力が及ばない状態）での寸法がネクタイの小剣の付け根に位置する結び目内の開口空間の想定内部寸法よりも若干大きくなるように、当該緩み止め具が設計（寸法設定）される。それ故、ネクタイを結んだ後で前記開口空間に対し緩み止め具が強制挿入されると、開口空間を区画するネクタイの布によって弾性素材（又はその内部の中空空間）を圧縮するような外力が当該緩み止め具に及ぼされ、緩み止め具は若干収縮した状態で結び目内の開口空間内に圧入される格好となる。この圧入状態では、弾性部材又は中空弾性部材がその復元力に基づいてその表面に接する布を外方向に押し広げようとする。このため、結び目内の開口空間の内側に配置されていたネクタイの小剣の一部（付け根）が、結び目を構成する布に対し強く押圧され、その結果、布同士の摩擦力が増大して結び目に対する小剣の位置ズレ又はすり抜けが生じ難くなる。
【００１９】
このように本発明の緩み止め具によれば、ネクタイの小剣の付け根に位置する結び目内部における緩み止め具の「拡張」を利用して小剣の位置ズレを抑制することにより、ネクタイが時間の経過と共に次第に緩むのを効果的に防止することができる。また、緩み止め具が結び目内部で「拡張」することで結び目が膨らみ、結び目の形状が見栄えのよいものとなる。更に、本発明の緩み止め具は、ネクタイを結んだ後にその結び目内の開口空間に対し単に差し込む操作を行うだけで装着可能であるため、ネクタイを締めた本人が、顎下にあるネクタイの結び目に対し手探りでも容易に且つ確実に装着することができる。
【００２０】
なお、請求項６〜８に記載のネクタイの緩み止め具を構成する弾性部材としては、ゴムやスポンジを例示することができる。
【００２１】
また、請求項１〜８のいずれか一項に記載のネクタイの緩み止め具において、その緩み止め具を前記結び目内の開口空間に差し込む際の挿入方向後端側には、緩み止め具を前記結び目内から抜き取るときに指でつまむためのつまみ部が設けられていることは好ましい（請求項９）。ネクタイ緩み止め具の挿入方向後端側につまみ部を設けることで、ネクタイ緩み止め具を結び目内から抜き取る操作がし易くなる。
【発明の効果】
【００２２】
本発明のネクタイの緩み止め具によれば、ネクタイの小剣の付け根に位置する結び目内部に差し込んだときにおける当該緩み止め具の拡開又は拡張を利用して小剣の位置ズレを抑制することにより、ネクタイが時間の経過と共に次第に緩むのを効果的に防止することができる。また、緩み止め具が結び目内部で拡開又は拡張することで結び目が膨らみ、結び目の形状が見栄えのよいものとなる。更に、本発明の緩み止め具は、ネクタイを結んだ後にその結び目内の開口空間に対し単に差し込む操作を行うだけで装着可能であるため、ネクタイを締めた本人が、顎下にあるネクタイの結び目に対し手探りでも容易に且つ確実に装着することができる。
【発明を実施するための最良の形態】
【００２３】
本発明の好ましい実施形態を説明する前に、ネクタイが時間の経過と共に次第に緩む理由について簡単に説明する。
【００２４】
図１及び図２は、ネクタイ１０を人の首周りに巻き付けたのち顎下にて「ウインザーノット」と呼ばれる結び方で結んだ状態を示す。図１は結び目Ｋ付近を裏側から見た状態を示し、図２は図１のＱ１−Ｑ１線での概略断面を示す。一般にネクタイ１０は一本の帯状布として提供され、幅狭な端部である小剣１１、幅広な端部である大剣１３、および、前記小剣１１と大剣１３との間にあって首周りに巻き付けられる部分であるネックバンド１２（又はネックエンド）から構成されている。図１及び図２に示すようにネクタイを結んだとき、結び目Ｋの直下には、ネクタイの前垂れにあたる大剣１３と、その裏側の背垂れにあたる小剣１１とが垂れ下がる。また、結び目Ｋの上部左右からはネックバンドの左端部１２ａ及び右端部１２ｂが延びている。小剣１１の上端部は結び目Ｋ内を通ってネックバンドの左端部１２ａにつながる。ネックバンド１２は首の後ろを経由してその右端部１２ｂが結び目Ｋ内に進入すると共に、前記小剣１１の上端部の周囲を少なくとも一巻きして結び目Ｋ内にトンネル状の内殻部１４を構築する。ネックバンドの右端部１２ｂは前記トンネル状の内殻部１４の周囲を更に一巻きして前記内殻部１４の外側に外殻部１５を構築する。つまり結び目Ｋとは、小剣１１の上端部を内包する内殻部１４とその外側の外殻部１５とからなる帯状布の巻き付け構造を意味する。前記結び目の外殻部１５を構成するネックバンドの右端部１２ｂはそのまま大剣１３の上端部につながっている。このように、小剣１１、ネックバンド１２及び大剣１３からなる一本のネクタイ１０を複雑に蛇行及び巻回させることで、ネクタイ１０を結ぶという行為が完成される。
【００２５】
ネクタイ１０が一旦緊密に結ばれた後であっても、人の首や肩が動くことによって、ネックバンドの左端部１２ａが図１に矢印Ｙで示す左斜め上方に引っ張られる。すると、結び目Ｋ内のトンネル状内殻部１４を貫通している小剣１１もネックバンド１２の動きに応じて上方に引っ張られ、その結果、ネクタイに緩みが生じる。これが時間の経過と共にネクタイが次第に緩む真相である。ここでは、ウインザーノットを例にしてネクタイが緩む事情を説明したが、この辺の事情は他の結び方（例えばプレーンノット、クロスノット、ダブルノット等）でも本質的に同じである。本発明は、特殊な構造を持ったネクタイ緩み止め具Ｐをネクタイの小剣１１の付け根に位置する結び目Ｋ内の開口空間に差し込むことで、ネクタイ１０が緩むのを防止することを意図したものである。以下に、本発明に従うネクタイ緩み止め具Ｐの具体的な実施例を図面を参照しながら説明する。
【００２６】
（実施例１）
図３に示すように、実施例１の緩み止め具は、各々が弓形に湾曲した４本の腕部２１から構成されている。４本の腕部２１は、緩み止め具の前後方向に延びる中心軸線Ｃから等距離の位置にあってその中心軸線Ｃの周りを等角度間隔（即ち９０°間隔）で取り囲むように配置されると共に、各腕部２１の前端部同士及び後端部同士が連結されている。緩み止め具の正面、背面及び左右側面の形状は図３（Ａ）のように示され、当該緩み止め具は軸対称な形状をなす。また、緩み止め具の平面及び底面の形状は図３（Ｂ）のように示され、当該緩み止め具は前後対称（又は上下対称）な形状をなす。各腕部２１は、湾曲時に所定の反発弾性を示す合成樹脂材料で作られている。そして、各腕部２１を弓形に湾曲させながらそれぞれの前端部同士及び後端部同士を連結した結果、これらの腕部２１を相互接近させるような外力が及んだとき、各腕部２１はその外力に反発する弾性を示す。この緩み止め具の寸法は、各腕部２１の自然な状態（即ち外力が及ばない状態）での寸法がネクタイの小剣１１の付け根に位置する結び目Ｋ内の下向きに開口した空間（即ち内殻部１４の内側領域）の想定内部寸法よりも若干大きくなるように設定されている。
【００２７】
図１及び図２に示すように、この緩み止め具は、ネクタイの結び目Ｋ内の下向きに開口した空間（内殻部１４の内側領域）に対し下から上に向けて強制的に挿入することでネクタイ１０に装着される。緩み止め具の寸法は内殻部１４の内部寸法よりも若干大きいため、強制挿入に伴って内殻部１４は、各腕部２１が相互接近する方向への外力を当該緩み止め具に及ぼし、緩み止め具は若干収縮した状態で内殻部１４に圧入される。このとき、収縮の反作用として緩み止め具の各腕部２１が、内殻部１４の内側に配置されていたネクタイの小剣１１の付け根（上端部）を外方向に押し広げ、小剣１１の付け根が内殻部１４に対し強く押圧される。内殻部１４を構成する布と小剣１１との間で布同士の摩擦力が増大し、結び目Ｋに対する小剣１１の位置ズレ又はすり抜けが生じ難くなる。こうして、ネクタイ１０が時間の経過と共に緩むことが防止される。また、緩み止め具が結び目内部で拡開することで結び目Ｋが膨らみ、結び目Ｋの形状が見栄えのよいものとなる。更に、この緩み止め具は、ネクタイを結んだ後にその結び目内の内殻部１４に対し単に差し込むだけで装着可能であるため、ネクタイを締めた本人が手探りしながらでも、顎下にあるネクタイの結び目Ｋに対し緩み止め具を容易に且つ確実に装着することができる。
【００２８】
（実施例２）
図４に示すように、実施例２の緩み止め具も、前記実施例１同様、各々が弓形に湾曲した４本の腕部２１から構成されている。実施例１の場合と異なり、各腕部２１の前端部付近及び後端部付近には、外方向に膨出するように湾曲した膨出部２２が形成されている。この膨出部２２は、当該緩み止め具を結び目内の内殻部１４に強制挿入した際に、ネクタイを構成する布に引っ掛かり、内殻部１４からの抜け落ち防止に貢献する。各腕部２１に膨出部２２が形成されていること以外、実施例２の構成は前記実施例１の構成と基本的に同じである。それ故、実施例２の緩み止め具は、実施例１の緩み止め具と同様の作用及び効果を奏する。
【００２９】
（実施例３）
図５に示す実施例３の緩み止め具は、上記実施例１の４本腕タイプの緩み止め具から２本の腕部２１を取り除いたタイプに相当する。即ち、実施例３の緩み止め具は、各々が弓形に湾曲した２本の腕部２１から構成されている。２本の腕部２１は、緩み止め具の前後方向に延びる中心軸線Ｃから等距離の位置にあってその中心軸線Ｃの周りを等角度間隔（即ち１８０°間隔）で取り囲むように配置されると共に、各腕部２１の前端部同士及び後端部同士が連結されている。緩み止め具の正面及び背面の形状は図５（Ａ）のように示されると共に、左右側面の形状は図５（Ｂ）のように示され、当該緩み止め具は左右対称な形状をなす。又、緩み止め具の平面及び底面の形状は図５（Ｃ）のように示され、当該緩み止め具は前後対称（又は上下対称）な形状をなす。各腕部２１は、湾曲時に所定の反発弾性を示す合成樹脂材料で作られている。そして、各腕部２１を弓形に湾曲させながらそれぞれの前端部同士及び後端部同士を連結した結果、両腕部２１を相互接近させるような外力が及んだとき、各腕部２１はその外力に反発する弾性を示す。この緩み止め具の寸法は、各腕部２１の自然な状態（即ち外力が及ばない状態）での寸法がネクタイの小剣１１の付け根に位置する結び目内の下向きに開口した空間（即ち内殻部１４の内側領域）の想定内部寸法よりも若干大きくなるように設定されている。このように実施例３の緩み止め具は、前記実施例１との構成上の共通性を残しつつ更に簡略化したものに相当する。故に、実施例３の緩み止め具は、実施例１の緩み止め具と同様の作用及び効果を奏する。
【００３０】
なお、図５（Ｂ）に示すように、各腕部２１の外側面の略中央位置には、長さＬ１の範囲において滑り止め手段２３が設けられている。滑り止め手段２３の具体的態様は、凹凸、細かい突起の集合、平行溝の集合、あるいは付着させたゴム状物質など、布の表面に接して滑り止め効果を期待できる構造や素材ならば何でもよい。図５に示す長さＬ１の範囲は、当該緩み止め具をネクタイの結び目の内殻部１４に挿入したとき、内殻部１４や小剣１１に対し確実に接触して押圧作用を及ぼし得る範囲である。このような滑り止め手段２３を設けることにより、緩み止め具Ｐが結び目Ｋ内の開口空間から抜け落ちにくくなり、ネクタイの緩み止め効果が更に向上する。
【００３１】
（実施例４，５及び６）
図６に示す実施例４の緩み止め具は、上記実施例３の緩み止め具の各腕部２１を二重構造としたものに相当する。即ち各腕部２１は、それぞれ弓形をなす外側板材２４と内側板材２５とを重ね合わせて構成されている。このように腕部２１を二重構造化することで、外力に対する各腕部の反発弾性が向上する。また、図７に示す実施例５の緩み止め具は、実施例４の緩み止め具の各腕部２１を構成する内側板材２５を波形状としたものに相当する。この構成によれば、内側板材２５における波形の各頂点が外側板材２４の内側に当接するため、内側板材２５が外側板材２４を内側から外方向に効果的に押し出すことができ、外力に対する各腕部の反発弾性が更に向上する。図８に示す実施例６の緩み止め具は、１枚の長尺な板材２６を一筆書き状に折り曲げることで、二重構造化された二つの腕部２１を形成したものである。この構成でも、実施例４の場合と同様、外力に対する各腕部の反発弾性が向上する。尚、実施例４、５及び６の緩み止め具が、実施例１及び３の緩み止め具と同様の作用及び効果を奏することはもちろんである。
【００３２】
（実施例７及び８）
図９に示す実施例７の緩み止め具は、弓形をした各腕部２１における後端部２１ｂを下に凸となるように折り曲げることで、全体形状がハート形に近似するように形成したものである。かかる形状を採用した結果、各腕部２１の外側面には中心軸線Ｃとほぼ平行な範囲が長さＬ２にわたって出現すると共に、その長さＬ２は前記実施例３における長さＬ１よりも明らかに長くなる（Ｌ１＜Ｌ２）。また、図１０に示す実施例８の緩み止め具は、弓形をした各腕部２１における前端部２１ａ及び後端部２１ｂの各々を稲妻形に折り曲げることで、各腕部２１の前端付近及び後端付近がくびれた形状となるように形成したものである。かかる形状を採用した結果、各腕部２１の外側面には、中心軸線Ｃとほぼ平行な範囲が長さＬ３にわたって出現すると共に、その長さＬ３は前記実施例３における長さＬ１よりも明らかに長くなる（Ｌ１＜Ｌ３）。
【００３３】
実施例７又は８における長さＬ２又はＬ３の範囲は、その緩み止め具をネクタイの結び目の内殻部１４に挿入したとき、内殻部１４や小剣１１に対し確実に接触して押圧作用を及ぼしうる範囲であり、その範囲が長いほど緩み止め具が結び目の内殻部１４から抜け落ち難くなる。なお、実施例７及び８の緩み止め具が、実施例１及び３の緩み止め具と同様の作用及び効果を奏することはもちろんである。
【００３４】
（実施例９）
図１１に示すように、実施例９の緩み止め具は、２本の腕部３１を有すると共に、両腕部３１間に開き角θを確保しつつ各々の前端部同士を連結して構成されている。開き角θの好ましい範囲は２０°〜６０°である。緩み止め具の正面及び背面の形状は図１１（Ａ）のように示されると共に、左右側面の形状は図１１（Ｂ）のように示され、当該緩み止め具はその中心軸線Ｃを挟んで左右対称な形状をなしている。各腕部３１は、曲げに対して所定の反発弾性を示す合成樹脂材料で作られている。そして、両腕部３１を所定の開き角θを確保しつつそれぞれの一端部で連結した結果、前記開き角θを減少させるような方向の外力（即ち両腕部３１を相互接近させるような外力）が及ぶとき、各腕部３１はその外力に反発する弾性を示す。この緩み止め具の寸法は、各腕部３１の自然な状態（即ち外力が及ばない状態）での幅方向寸法がネクタイの小剣１１の付け根に位置する結び目Ｋ内の下向きに開口した空間（即ち内殻部１４の内側領域）の想定内部寸法（具体的には想定幅方向寸法）よりも若干大きくなるように設定されている。このような構成を採用したことで、この緩み止め具を結び目の内殻部１４に強制挿入するときには、各腕部３１が内殻部１４の内側に配置されていたネクタイの小剣１１の付け根（上端部）を外方向に押し広げる。故に、実施例９の緩み止め具は、実施例１及び３の緩み止め具と同様の作用及び効果を奏する。
【００３５】
なお、図１１（Ｂ）に示すように、各腕部３１の外側面の一部には、長さＬ４の範囲において上記実施例３と同様の滑り止め手段２３が設けられている。図１１に示す長さＬ４の範囲は、当該緩み止め具をネクタイの結び目の内殻部１４に挿入したとき、内殻部１４や小剣１１に対し確実に接触して押圧作用を及ぼし得る範囲である。また、各腕部３１の後端部にはＵ字状の湾曲部３２が形成されている。このＵ字状の湾曲部３２の外側を二本の指（例えば親指と人差し指）で左右から挟むようにつまむことにより、小さな力で両腕部３１間の開き角θを一時的に小さくでき、当該緩み止め具を前記内殻部１４へ挿入し易くすることができる。緩み止め具が内殻部１４に確実に進入した後に両湾曲部３２から指をはなせば、内殻部１４内で両腕部３１が拡開し、前述のようなネクタイの緩み止め効果を得ることができる。
【００３６】
（実施例１０）
図１２に示すように、実施例１０の緩み止め具は、２本の腕部３１を有すると共に、両腕部３１間に開き角θを確保しつつ各々の後端部同士を連結して構成されている。開き角θの好ましい範囲は２０°〜６０°である。緩み止め具の正面及び背面の形状は図１２（Ａ）のように示されると共に、左右側面の形状は図１２（Ｂ）のように示され、当該緩み止め具はその中心軸線Ｃを挟んで左右対称な形状をなしている。各腕部３１は、曲げに対して所定の反発弾性を示す合成樹脂材料で作られている。そして、両腕部３１を所定の開き角θを確保しつつそれぞれの一端部で連結した結果、前記開き角θを減少させるような方向の外力（即ち両腕部３１を相互接近させるような外力）が及ぶとき、各腕部３１はその外力に反発する弾性を示す。この緩み止め具の寸法は、各腕部３１の自然な状態（即ち外力が及ばない状態）での幅方向寸法がネクタイの小剣１１の付け根に位置する結び目Ｋ内の下向きに開口した空間（即ち内殻部１４の内側領域）の想定内部寸法（具体的には想定幅方向寸法）よりも若干大きくなるように設定されている。このような構成を採用したことで、この緩み止め具を結び目の内殻部１４に強制挿入するときには、各腕部３１の外側を二本の指（例えば親指と人差し指）で左右から挟むようにつまむことにより、小さな力で両腕部３１間の開き角θを一時的に小さくでき、当該緩み止め具を前記内殻部１４へ挿入し易くすることができる。そして、挿入後に指を両腕部３１から放すことで、各腕部３１が内殻部１４の内側に配置されていたネクタイの小剣１１の付け根（上端部）を外方向に押し広げる。故に、実施例１０の緩み止め具は、実施例１，３及び９の緩み止め具と同様の作用及び効果を奏する。
【００３７】
（実施例１１）
実施例１１は請求項６〜８に記載のネクタイ緩み止め具に関するものである。図１３（Ａ）〜（Ｄ）に示すように、実施例１１の緩み止め具は、ゴム又はスポンジからなる弾性部材４１で構成されている。弾性部材４１は、あたかもラグビーボールのような外形状に形成されており、中心軸線Ｃ周りにおいて回転対称で且つ前後対称（又は上下対称）な形状をなす。本実施例において、弾性部材４１の内部に中空な空間４２が区画されていることは好ましい。特に、弾性部材４１としてゴムを使用する場合には、その内部に中空空間４２を区画することは好ましく、この中空空間４２の存在により、ゴムからなる弾性部材４１の硬さや弾性が適度なものとなり、ネクタイの結び目Ｋ内に挿入する際の変形がし易くなる。他方、弾性部材４１としてスポンジを使用する場合には、あえてその内部に中空空間４２を区画する必要はなく、スポンジによる充実体としてもよい。
【００３８】
実施例１１の緩み止め具は、ゴム又はスポンジからなる弾性部材４１で構成されているので、弾性部材４１を圧縮するような外力が及んだときにその外力に反発する弾性を示す。又、この緩み止め具の寸法は、それを構成する弾性部材４１の自然な状態での寸法がネクタイの小剣１１の付け根に位置する結び目Ｋ内の下向きに開口した空間（即ち内殻部１４の内側領域）の想定内部寸法よりも若干大きくなるように設定されている。従って、実施例１〜１０と同様、この緩み止め具は、ネクタイの結び目Ｋ内の開口空間に対し下から上に向けて強制挿入されたとき（図１，２参照）、若干収縮した状態で内殻部１４に圧入され、収縮の反作用として緩み止め具が内殻部１４の内側に配置されていたネクタイの小剣１１の付け根（上端部）を外方向に押し広げ、小剣１１の付け根が内殻部１４に対し強く押圧される。その結果、内殻部１４を構成する布と小剣１１との間で布同士の摩擦力が増大し、結び目Ｋに対する小剣１１の位置ズレ又はすり抜けが生じ難くなる。こうしてネクタイ１０が時間の経過と共に緩むことが防止される。また、緩み止め具が結び目内部で拡張することで結び目Ｋが膨らみ、結び目Ｋの形状が見栄えのよいものとなる。更に、この緩み止め具は、ネクタイを結んだ後にその結び目内の内殻部１４に対し単に差し込むだけで装着可能であるため、ネクタイを締めた本人が手探りしながらでも、顎下にあるネクタイの結び目Ｋに対し緩み止め具を容易に且つ確実に装着することができる。
【００３９】
（変更例）本発明の実施形態を以下のように変更してもよい。
上記実施例１〜１０に示すタイプのネクタイ緩み止め具において、腕部２１又は３１の数は、２本又は４本に限られず、３本又は５本以上であってもよい。即ち、本発明のネクタイ緩み止め具における腕部の数は、複数（２本以上）であれば何本であってもよい。
【００４０】
上記実施例１〜１０に示すタイプのネクタイ緩み止め具において、腕部２１又は３１の構成材料として合成樹脂材料を例示したが、これに限定されるものではなく、天然樹脂材料、鉄などの金属、竹などの木材又は繊維質植物、あるいは硬質ゴムなど、湾曲時に所定の反発弾性を示す材料や素材であれば何でもよい。
【００４１】
図５及び図１１に示したネクタイ緩み止め具の各腕部２１，３１に設けたのと同様の滑り止め手段２３を、図３，４，６，７，８，９，１０，１２の各図に示したネクタイ緩み止め具の各腕部に設けてもよい。
【００４２】
図１３に示したネクタイ緩み止め具において、中空空間４２内に加圧気体（大気圧以上の内圧の気体）を封入して、緩み止め具の弾性を調節してもよい。
【００４３】
上記実施例１のネクタイ緩み止め具における各腕部２１が、図１４（図３（Ｃ）に対応する断面図）に示すように、中心軸線Ｃを中心とする仮想円弧に沿った湾曲表面２１ａを有するように湾曲形成されてもよい。各腕部２１の外側表面がこのような湾曲表面２１ａとなることで、各腕部２１の外側表面が、ネクタイ結び目Ｋ内の開口空間の内側の湾曲形状にほぼ対応し、開口空間の内側を構成する布への有効接触面積が増大する。なお、実施例２〜１０のネクタイ緩み止め具における各腕部２１又は３１に対し図１４と同様の湾曲形状が付与されてもよい。
【００４４】
上記実施例１及び実施例２のネクタイ緩み止め具に対して、図１５（Ａ）及び（Ｂ）に示すように、ネクタイ緩み止め具の挿入方向後端側において短棒状のつまみ部２８を設けてもよい。また、上記実施例１１のネクタイ緩み止め具に対して、図１５（Ｃ）に示すように、ネクタイ緩み止め具の挿入方向後端側において短棒状のつまみ部４３を弾性部材４１に一体形成してもよい。これら短棒状のつまみ部２８，４３は、ネクタイの結び目Ｋの内部に強制挿入されたネクタイ緩み止め具をその結び目Ｋ内から引っ張り出す際に指でつまむための部位である。短棒状のつまみ部２８，４３を設けることで、ネクタイ緩み止め具を結び目Ｋ内から抜き取る操作がし易くなる。尚、同様のつまみ部を、図５，６，７，８，９，１０，１２の各図に示したネクタイ緩み止め具の挿入方向後端側に設けても良いことは言うまでもない。
【図面の簡単な説明】
【００４５】
【図１】ネクタイの結び目付近を裏側から見た状態を示す図。
【図２】図１のＱ１−Ｑ１線での概略断面図。
【図３】実施例１の緩み止め具を示し、（Ａ）は正面図、（Ｂ）は平面図、（Ｃ）はＱ２−Ｑ２線断面図。
【図４】実施例２の緩み止め具を示し（Ａ）は正面図、（Ｂ）は平面図。
【図５】実施例３の緩み止め具を示し、（Ａ）は正面図、（Ｂ）は側面図、（Ｃ）は平面図、（Ｄ）はＱ３−Ｑ３線断面図。
【図６】実施例４の緩み止め具の正面図。
【図７】実施例５の緩み止め具の正面図。
【図８】実施例６の緩み止め具の正面図。
【図９】実施例７の緩み止め具の正面図。
【図１０】実施例８の緩み止め具の正面図。
【図１１】実施例９の緩み止め具を示し、（Ａ）は正面図、（Ｂ）は側面図。
【図１２】実施例１０の緩み止め具を示し、（Ａ）は正面図、（Ｂ）は側面図。
【図１３】実施例１１の緩み止め具を示し、（Ａ）は正面図、（Ｂ）は平面図、（Ｃ）はＱ４−Ｑ４線断面図。（Ｄ）はＱ５−Ｑ５線断面図。
【図１４】緩み止め具の変更例における図３（Ｃ）相当の断面図。
【図１５】緩み止め具につまみ部を追加した変更例を示し、（Ａ）及び（Ｂ）は正面図、（Ｃ）は図１３（Ｃ）相当の断面図。
【符号の説明】
【００４６】
１０…ネクタイ、１１…小剣、１２…ネックバンド、１３…大剣、１４…結び目の内殻部、１５…結び目の外殻部、２１…腕部、２３…滑り止め手段、２８…つまみ部、３１…腕部、４１…弾性部材、４２…中空空間、４３…つまみ部、Ｋ…結び目、Ｐ…緩み止め具。
【図１】
2004238787.tif 000003
【図２】
2004238787.tif 000004
【図３】
2004238787.tif 000005
【図４】
2004238787.tif 000006
【図５】
2004238787.tif 000007
【図６】
2004238787.tif 000008
【図７】
2004238787.tif 000009
【図８】
2004238787.tif 000010
【図９】
2004238787.tif 000011
【図１０】
2004238787.tif 000012
【図１１】
2004238787.tif 000013
【図１２】
2004238787.tif 000014
【図１３】
2004238787.tif 000015
【図１４】
2004238787.tif 000016
【図１５】
2004238787.tif 000017